(57)【要約】【課題】操作が簡単で時間をとらず、また、パーマをかける美容師あるいは理容師の経験、性別、年令等を問わず、如何なる人であっても、個人差のない一様な仕上がりができ、さらにまた、必要に応じ、自然のクセ毛のようなカールを付与することができるヘアーカール器を提供する。【解決手段】長手方向に沿って設けられたガイド部を有する長形平板状の本体と、前記ガイド部に案内されて前記本体の上面を伸縮可能に設けられた髪束載置部材と、前記本体上面の長手方向に伸長された前記髪束載置部材を所定位置に係止する係止部材と、前記髪束載置部材に髪束を固定する固定部材と、前記本体の一端側に設けられ前記伸長された前記髪束載置部材を縮めて該一端側に復帰させる復帰装置とによりヘアーカール器を構成する。【選択図】図６
2008253400.tif 000002
【特許請求の範囲】
【請求項１】
長手方向に沿って設けられたガイド部を有する長形平板状の本体と、前記ガイド部に案内されて前記本体の上面を伸縮可能に設けられた髪束載置部材と、前記本体上面の長手方
向に伸長された前記髪束載置部材を所定位置に係止する係止部材と、前記髪束載置部材に
髪束を固定する固定部材と、前記本体の一端側に設けられ前記伸長された前記髪束載置部
材を縮めて該一端側に復帰させる復帰装置とから成ることを特徴とするヘアーカール器。
【請求項２】
前記髪束載置部材は、上部軸及び下部軸により枢動可能に支持され、該上部軸及び下部軸の間に前記髪束を載置する可撓性シート材が懸架され、前記下部軸に前記ガイド部を転動するローラが設けられた左右一対の側板を複数組前記長手方向に連設し、かつ前記本体の一端側に位置する前記下部軸を前記本体に固定して成る、髪束折込み式の髪束載置部材である請求項１に記載のヘアーカール器。
【請求項３】
前記髪束載置部材は、前記本体の一端側で回転可能に支持された繰出しローラと、前記
ガイド部を転動するローラを端部に有する髪束巻込みローラと、前記繰出しローラ及び前記髪束巻込みローラ間に懸架され前記髪束を載置する可撓性シート材とから成る、髪束巻込み式の髪束載置部材である請求項１に記載のヘアーカール器。
【請求項４】
前記髪束載置部材は、前記本体の上面に対し着脱可能に設けられている、請求項１ないし請求項３のいずれかに記載のヘアーカール器。
【請求項５】
前記本体のガイド部は、前記本体から伸長可能に設けられている、請求項１ないし請求項４のいずれかに記載のヘアーカール器。
【請求項６】
前記復帰装置は、内蔵するコイルバネの復元力により糸状体を巻き取るように構成されたピンオンリールである、請求項１ないし請求項５のいずれかに記載のヘアーカール器。
【発明の詳細な説明】
【技術分野】
【０００１】
本発明は、美容や理容等で使用されるヘアーカール器に関する。
【背景技術】
【０００２】
従来、美容院や理容院等において頭髪を所望の形状にセットする方法として、コールドパーマが一般的に行なわれている。このコールドパーマの作業は、例えば特許文献１に記載されているように、先ず頭髪を所定のブロック毎にまとめ、適量の髪束を櫛で分け、コールドペーパーを分け取った髪束に当接して、この髪束を先端部よりロッドに巻き始め、頭髪の根元まで巻き付けた後、ロッドの両端に輪ゴムを掛けて固定するワインディング作業を頭髪全体又は所望の箇所に行なう。その後、コールドパーマ液を髪束に振りかけ、頭髪全体にカバーを被せ、一定時間経過した後にカバーを外し（必要に応じ第２のコールドパーマ液を髪束に噴霧し、）ロッドの両端に掛けた輪ゴムを外して頭髪からロッドやコールドペーパーを取り除き、洗髪して全作業を終了する。
【０００３】
しかしながら、このようにロッド、コールドペーパー、及び輪ゴム等の器具を用いて頭髪にパーマをかける従来の方法では、作業が面倒で、終了するまでにかなりの時間を要していた。
【０００４】
また、このような従来のパーマでは、美容師あるいは理容師によりワインディング力が異なるためその仕上がり状態も異なり、一様な仕上がり状態を得ることはできなかつた。
【０００５】
さらにまた、上述したようなロッドによるパーマは、その仕上がり状態においていかにもパーマをかけたという感は免れず、このため、とくにストレートヘアの人が好む自然のクセ毛のようなカール（ウエーブ）を付与することは困難であった。
【特許文献１】特開２００６−１７５１８５号公報
【発明の開示】
【発明が解決しようとする課題】
【０００６】
本発明は、上述した実情に鑑みてなされたもので、その目的とするところは、上述した従来技術の有する欠点を解消し、操作が簡単で時間をとらず、また、パーマをかける美容師あるいは理容師の経験、性別、年令等を問わず、如何なる人であっても、個人差のない一様な仕上がりができ、さらにまた、必要に応じ、自然のクセ毛のようなカールを付与することができるヘアーカール器を提供することである。
【課題を解決するための手段】
【０００７】
本発明の上記目的は、長手方向に沿って設けられたガイド部を有する長形平板状の本体と、前記ガイド部に案内されて前記本体の上面を伸縮可能に設けられた髪束載置部材と、前記本体上面の長手方向に伸長された前記髪束載置部材を所定位置に係止する係止部材と、前記髪束載置部材に髪束を固定する固定部材と、前記本体の一端側に設けられ前記伸長された前記髪束載置部材を縮めて該一端側に復帰させる復帰装置とから成ることを特徴とするヘアーカール器を提供することにより達成される。
【０００８】
また、本発明の上記目的は、前記髪束載置部材が、上部軸及び下部軸により枢動可能に支持され、該上部軸及び下部軸の間に前記髪束を載置する可撓性シート材が懸架され、前記下部軸に前記ガイド部を転動するローラが設けられた左右一対の側板を複数組前記長手方向に連設し、かつ前記本体の一端側に位置する前記下部軸を前記本体に固定して成る、髪束折込み式の髪束載置部材であるヘアーカール器を提供することにより、より効果的に達成される。
【０００９】
また、本発明の上記目的は、前記髪束載置部材が、前記本体の一端側で回転可能に支持された繰出しローラと、前記ガイド部を転動するローラを端部に有する髪束巻込みローラと、前記繰出しローラ及び前記髪束巻込みローラ間に懸架され前記髪束を載置する可撓性シート材とから成る、髪束巻込み式の髪束載置部材であるヘアーカール器を提供することにより、より効果的に達成される。
【００１０】
また、本発明の上記目的は、前記髪束載置部材が、前記本体の上面に対し着脱可能に設けられているヘアーカール器を提供することにより、より効果的に達成される。
【００１１】
さらにまた、本発明の上記目的は、前記復帰装置が、内蔵するコイルバネの復元力により糸状体を巻き取るように構成されたピンオンリールであるヘアーカール器を提供することにより、より効果的に達成される。
【発明の効果】
【００１２】
本発明に係るヘアーカール器によれば、本体から髪束載置部材を手動により引き出し、髪束を載置、固定した後、復帰装置の復元力により髪束載置部材を復帰させるという簡単な操作により頭髪にカールを付与することができるので、手間暇をかけることなく、誰でもが手軽に取扱うことができる。また、カール付与を復帰装置の一定した復元力により行なうため、全頭髪に対し一様な仕上がりのカールを付与することができる。
【００１３】
とくに、髪束折込み式の髪束載置部材によれば、自然のクセ毛のようなカールを望む人に対して有効である。
【００１４】
なお、髪型すなわちカールの形状は人の好みにより異なることから、本発明に係るヘアーカール器は、後述するように、髪型の異なる各種の髪束載置部材を予め準備しておき、所望のものを選択して本体に装着し、使用するようにすると効果的である。
【発明を実施するための最良の形態】
【００１５】
以下、本発明に係るヘアーカール器について、実施形態に基づき詳細に説明する。なお、本発明は、以下の実施形態に限定されるものではなく、特許請求の範囲を逸脱しない範囲内において、その構成を適宜に変更できることはいうまでもない。
【００１６】
図１は、本発明の第１実施例に係るヘアーカール器１００の全体を示す斜視図、図２はヘアーカール器１００の分解斜視図である。
【００１７】
本ヘアーカール器１００は、主として、本体１１０と、本体１１０の上面長手方向を伸縮する髪束折込み式の髪束載置部材１２０と、髪束載置部材１２０を本体１１０側に係止する係止部材１３０と、後述するように髪束Ｈｂを髪束載置部材１２０に固定する髪束押え１４０と、本体１１０の一端側（反伸長側）１１０Ａに設けられ、伸長された髪束載置部材１２０をこの一端側１１０Ａにバネ力により縮めて復帰させる復帰装置１５０とから成っている。
【００１８】
本体１１０は、長形平板１１１の上面１１１ｆの両側において、コの字状のチャンネル１１２を長手方向に延設して成る第１ガイド部１１３を備え、この第１ガイド部１１３の内面には、図１に仮想線で、図２に実線で示すように、長形平板１１４の上面１１４ｆの両側において、コの字状のチャンネル１１５を長手方向に延設して成る第２ガイド部１１６が第１ガイド部１１３と同様に摺動可能に設けられている。また、長形平板１１１の本体１１０の一端側１１０Ａには後述する連結板１５１をネジ部材１５８を介して固定するネジ穴１１８が刻設されている。
【００１９】
長形平板１１４の中央部は矩形状に切り取られて軽量化が図られ、その前端部にはＬ字型の把手１１７が設けられている。このＬ字型の把手１１７を指で摘み前方(長手方向)に移動すると、第２ガイド部１１６が第１ガイド部１１３から引き出され、逆の動作により第２ガイド部１１６は第１ガイド部１１３の内部に収納されるようになっている。
【００２０】
第１ガイド部１１３のうち一方の側部にはネジ穴が刻設されたボス１１９が設けられ、このネジ穴にネジ部材１６０が螺着され、これにより第１ガイド部１１３と第２ガイド部１１６とが所定の位置に固定される。
【００２１】
長形平板１１４の後端部は、後述する図５に断面図で示すように、本体１１０の一端側１１０Ａに向かって傾斜するエッジに形成されており、これにより後述するがローラ１２５が第１ガイド部１１３から第２ガイド部１１６にスムーズに転動するようになっている。
【００２２】
髪束載置部材１２０は、左右一対の側板１２１の上部を軸１２２により下部を軸１２３により支持し、これらの軸間に髪束Ｈｂを載置するための可撓性シート材１２４を懸架し、下部の軸１２３に上述の第１ガイド部１１３及び第２ガイド部１１６の内部を転動する左右一対のローラ１２５を一組間隔に設け、かつ、このように構成した側板１２１を互いに枢動可能に長手方向に複数組（本実施例では１０組）連設して成っている。なお、この左右一対の側板１２１を何組連設するかは、カールを付与する髪型（とくに髪の長さ）により適宜に変更される。可撓性シート材１２４には、強靭な紙、プラスチックフィルム、あるいは布等が適用される。
【００２３】
後述するように、本体１１０の一端側１１０Ａに位置する軸１２３Ａと前記復帰装置１５０とは連結板１５１を介して連結されており、本体１１０の他端側１１０Ｂに位置する軸１２３ＢにはＬ字型の把手１２６が連結されている。
【００２４】
係止部材１３０は、図２に示すように、下方に開口部１３１が形成されたコの字型の部材で構成され、髪束載置部材１２０側に設けられた把手１２６と本体１１０側に設けられた把手１１７の各上端部を開口部１３１で保持することにより、髪束載置部材１２０を本体１１０側に係止するようになっている。
【００２５】
髪束押え１４０は、矩形板１４１の両側下方に半円形の保持部１４２が溶接等により連結されて成っている。この髪束押え１４０は、半円形の保持部１４２を髪束載置部材１２０におけるローラ１２５を有しない軸１２３の両側部に嵌着し、髪束載置部材１２０の可撓性シート材１２４上面に載置される髪束Ｈｂを矩形板１４１の下端部１４１ａで押えて固定するために使用される。
【００２６】
復帰装置１５０は、連結板１５１の両側において上方を開口して形成されたボックス１５２の内部に、内蔵するバネ（図示せず）の力により開口部１５３から繰り出した糸１５４を巻き取るように作られた公知のピンオンリール１５５によって構成されている。この糸１５４の先端部は髪束載置部材１２０の最前端に位置する軸１２３Ｂに連結されている。したがって、把手１２６を図２の矢印Ｙ方向に移動させると、この把手１２６に連結された軸１２３Ｂも一緒に移動し、図３に要部を側面図で示すように、隣り合う側板１２１がアコーデオン式（Ｖ字状）に開かれる。この把手１２６をさらに移動させると、把手１２６は本体１１０側に設けられた把手１１７と当接し、これに伴い第２ガイド部１１６が第１ガイド部１１３から引き出され、かくして髪束載置部材１２０が長手方向に伸長される。この伸長を解除することにより、髪束載置部材１２０は復帰装置１５０のバネ力により元の位置に復帰する。
【００２７】
前述したように、復帰装置１５０と髪束載置部材１２０とは連結板１５１及びネジ部材１５８を介して着脱自在に連結されている。このように着脱自在とすることにより、髪束載置部材１２０を各種の髪型すなわち頭髪のカール形状に適合する複数種類のものを予め準備しておき、この中から所望の髪型に合ったものを選び出し、本体１１０に直ちに装着して使用することができる。
【００２８】
なお、本ヘアーカール器１００は、通常、頭髪に複数個取り付けて使用するものであることから、全体がコンパクトで軽量であることが好ましく、このため全体の形状は、幅が７〜８ｃｍ、高さが３〜４ｃｍ、長さが２０〜３０ｃｍ程度に設計され、また、構成材料には軽量かつ強度を有する金属材あるいは合成樹脂材が使用されている。
【００２９】
次に、以上の通り構成された本ヘアーカール器１００の使用方法を説明する。
【００３０】
先ず、使用に際し、把手１２６を長手方向に移動させ、この移動により把手１１７を同方向に移動させて第２ガイド部１１６を第１ガイド部１１３から所望の長さだけ引き出す。この一連の操作により髪束載置部材１２０は長手方向に伸長される。この後ネジ部材１６０を締め付けて第２ガイド部１１６の位置を固定し、係止部材１３０を把手１２６及び把手１１７に嵌着して髪束載置部材１２０を本体１１０側に固定する。このようにして髪束載置部材１２０を伸長させ、髪束Ｈｂを載置するための可撓性シート材１２４を本体１１０の長形平板１１１に対し平坦な状態に置く。
【００３１】
次に、この可撓性シート材１２４の上面に、図４に平面図で、図５に図４のＡ−Ａ断面図で示すように、カールを付与する髪束Ｈｂを載置し、その後、髪束押え１４０を髪束載置部材１２０の所定の（ローラ１２５を有しない）軸１２３に装着して整えた髪束Ｈｂを可撓性シート材１２４の上面に固定する。
【００３２】
この状態でネジ部材１６０を緩めと、髪束載置部材１２０と第２ガイド部１１６は復帰装置１５０のバネ力により元の位置に復帰する。このように髪束載置部材１２０が復帰すると、可撓性シート材１２４は側面視でＶ字状に折り込まれ、これに伴い可撓性シート材１２４の上面に載置、固定された髪束Ｈｂが変形してカールが付与される。
【００３３】
本ヘアーカール器１００を頭髪全体に使用し、以上の操作と同様な操作を行なうことにより頭髪全体にカールを付与することができる。なお、かかる操作の後には、通常に行なわれている処理が行われ、かくして所定の作業を終了する。髪束押え１４０は最後に髪束載置部材１２０から取り外される。
【００３４】
以上の通り、本ヘアーカール器１００は、本体１１０から髪束載置部材１２０を手動により引き出し、髪束Ｈｂを載置、固定した後、復帰装置１５０の復元力により髪束載置部材１２０を復帰させるという簡単な操作により頭髪にカールを付与することができるので、手間暇をかけることなく、誰でもが手軽に取扱うことができる。また、カール付与を復帰装置１５０の常に一定したバネ力すなわち復元力により行なうため、全頭髪に対し一様な仕上がりのカールを付与することができる。
【００３５】
図６は、本発明の第２実施例に係るヘアーカール器２００の全体を示す斜視図、図７はその平面図、図８は図６及び図７におけるＢ−Ｂ断面図である。なお、本ヘアーカール器２００は、後述する髪束載置部材２８０を除く他の構成は、前述した第１実施例に係るヘアーカール器１００の構成と実質的に同一ないし類似するものとなっているので、この構成要素には対応する２００番台の符号が付されている。
【００３６】
本ヘアーカール器２００は、本体２１０と、本体２１０の上面２１１ｆ長手方向を伸縮する髪束巻込み式の髪束載置部材２８０と、髪束載置部材２８０を本体１１０側に係止する係止部材２３０と、髪束Ｈｂを髪束載置部材２８０に固定する髪束押え２４０と、本体２１０の一端側（反伸長側）２１０Ａに設けられ、伸長された髪束載置部材２２０をこの一端側２１０Ａにバネ力により縮めて復帰させる復帰装置２５０とから成っている。
【００３７】
ヘアーカール器１００と同様に、本体２１０は、長形平板２１１の上面２１１ｆの両側において、コの字状のチャンネル２１２を長手方向に延設して成る第１ガイド部２１３を備え、この第１ガイド部２１３の内面には、図８に横断面で示すように、長形平板２１４の上面２１４ｆの両側において、コの字状のチャンネル２１５を長手方向に延設して成る第２ガイド部２１６が摺動可能に設けられている。また、長形平板２１１の一端側２１０Ａには連結板２５１をネジ部材２５８を介して固定するネジ穴２１８が刻設されている。
【００３８】
長形平板２１４の前端部にはＬ字型の把手１１７が設けられている。このＬ字型の把手２１７を指で摘み前方（矢印Ｙ方向）に移動すると、図６に仮想線で示すように第２ガイド部２１６が第１ガイド部２１３から引き出され、逆の動作により第２ガイド部２１６は第１ガイド部２１３の内部に収納されるようになっている。
【００３９】
第１ガイド部２１３のうち一方の側部にはネジ穴が刻設されたボス２１９が設けられ、このネジ穴にネジ部材２６０が螺着されるようになっており、これにより第１ガイド部２１３と第２ガイド部２１６とが所定の位置に固定される。なお、長形平板２１４の後端部は、後述する髪束巻込みローラ２８３が第１ガイド部２１３から第２ガイド部２１６にスムーズに転動するように、前記ヘアーカール器１００と同様に傾斜状に形成されている。
【００４０】
髪束載置部材２８０は、本体２１０の一端側２２０Ａにおける連結板２５１の上面に固定された左右一対の軸受部材２８１により回転自在に支持された繰出しローラ２８２と、第１ガイド部２１３及び第２ガイド部２１６に案内されて長手方向に伸縮可能に設けられた髪束巻込みローラ２８３と、右側面視でＳ字状となるように繰出しローラ２８２と髪束巻込みローラ２８３間に懸架された髪束Ｈｂを載置するための可撓性シート材２８４とから成っている。
【００４１】
髪束巻込みローラ２８３は、図７に平面図で、図８に横断面図で示すように、ローラ本体２８３ｒの両端部にピニオンギヤ２８３ｇが設けられ、その回転軸２８３ｓが左右一対の軸受部材２８５により回転自在に支持されている。左右一対の軸受部材２８５は前端に固定されたアーム２８６により連結されており、アーム２８６の中央部には把手２２６が設けられている。この把手を指で摘み、長手方向に移動させることにより髪束巻込みローラ２８３が本体２１０の一端側２１０Ａから引き出される。
【００４２】
ピニオンギヤ２８３ｇが転動する長形平板２１１の上面２１１ｆ及び長形平板２１４の
上面２１４ｆの軌道には、夫々、ラック２１１ｇ、２１４ｇが刻設されており、ピニオンギヤ２８３ｇはこのラック２１１ｇ、２１４ｇと噛合して長手方向に転動する。
【００４３】
係止部材２３０は、ヘアーカール器１００と同様に、下方に開口部が形成されたコの字型の部材で構成され、髪束載置部材２８０側に設けられた把手２２６と本体２１０側に設けられた把手２１７の各上端部を保持することにより、髪束載置部材２８０を本体２１０側に係止するようになっている。
【００４４】
髪束押え２４０は、下面に粘着剤層を有する帯状の可撓性シート材により構成されている。後述するように、この髪束押え２４０は可撓性シート材２８４の上面に載置された髪束Ｈｂを上方から被覆して押え、髪束載置部材２８０に固定するために用いられる。なお、この帯状の可撓性シート材として、公知のコールドペーパーを使用することも可能である。
【００４５】
復帰装置２５０は、連結板２５１の両側において上方を開口して形成されたボック２５２の内部に、内蔵するバネ（図示せず）の力により開口部２５３から繰り出した糸２５４を巻き取るように作られた公知のピンオンリール２５５によって構成されている。この糸２５４の先端部は髪束巻込みローラ２８３の軸受部材２８５に連結されている。長手方向に引き出された髪束巻込みローラ２８３は、この伸長を解除することにより、復帰装置２５０のバネ力により元の状態に復帰する。
【００４６】
なお、復帰装置２５０と髪束載置部材２８０とが連結板２５１及びネジ部材２５８を介して着脱自在に連結されていることはヘアーカール器１００と同様である。
【００４７】
次に、以上の通り構成された本ヘアーカール器２００の使用方法を説明する。
【００４８】
先ず、使用に際し、把手２２６を長手方向に移動させ、この移動により把手２１７を同方向に移動させて第２ガイド部２１６を第１ガイド部２１３から所望の長さだけ引き出す。この一連の手動操作により髪束巻込みローラ２８３は長手方向に引き出され、これにより可撓性シート材２８４が伸長される。この後ネジ部材２６０を締め付けて第２ガイド部２１６の位置を固定し、係止部材２３０を把手２２６及び把手２１７に嵌着して髪束載置部材２８０を本体２１０側に固定する。このようにして髪束載置部材２８０の可撓性シート材２８４を伸長させ、髪束Ｈｂを載置する準備が完了する。なお、このとき、第２ガイド部２１６を第１ガイド部２１３から所望の長さだけ引き出し、ネジ部材２６０で位置を固定した後に髪束巻込みローラ２８３を引き出すようにすることも可能である。
【００４９】
次に、この可撓性シート材２８４の上面にカールを付与する髪束Ｈｂを整えて載置し、この髪束Ｈｂの全長を覆うようにして被せた髪束押え２４０を可撓性シート材２８４に粘着して髪束Ｈｂを固定する。
【００５０】
その後、可撓性シート材２８４の前端部を髪束Ｈｂと共に髪束巻込みローラ２８３に手で巻き込み、この状態でネジ部材２６０を緩めと、伸長が解除されて髪束巻込みローラ２８３と第２ガイド部２１６とは復帰装置２５０のバネ力により元の位置に復帰する。このようにして髪束巻込みローラ２８３が繰り出しローラ２８２に隣接する位置まで転動すると、可撓性シート材２８４と髪束押え２４０との間に巻き込まれた髪束Ｈｂが変形してカールが付与される。
【００５１】
本ヘアーカール器２００を頭髪全体に複数個使用し、以上と同様な操作行なうことにより頭髪全体にカールを付与することができる。なお、かかる操作の後には、通常に行なわれている処理が行われる。なお、髪束押え２４０は所定の作業が終了した後、可撓性シート材２８４から剥離され、再度使用に供せられる。
【００５２】
以上の通り、本ヘアーカール器２００は、本体２１０から髪束載置部材２２０を構成する髪束巻込みローラ２８３を手動により引き出し、髪束Ｈｂを髪束載置用の可撓性シート材２８４に載置、固定した後、復帰装置２５０の復元力により髪束巻込みローラ２８３を復帰させるという簡単な操作により、頭髪に従来のロッド巻きによる場合と同様なカールを付与することができるので、手間暇をかけることなく、誰でもが手軽に取扱うことができる。また、カール付与を復帰装置２５０の常に一定したバネ力すなわち復元力により行なうため、全頭髪に対し一様な仕上がりのカールを付与することができる。
【００５３】
以上、本発明の内容を２つの実施例に基づき説明したが、本発明はこれらの実施例に限定されるものでないことは前述した通りである。
【００５４】
例えば、上記実施例では本体におけるガイド部を第１ガイド部と第２ガイド部の二重構造とし、第２ガイド部を第１ガイド部から引き出すようにしたが、例えば長さの短い頭髪にカールを付与するような場合には第２ガイド部は必ずしも必要ではない。また、このガイド部の機構は、髪束載置部材を本体の長手方向に往復移動し得るものであれば上記実施例のものに限定されるものではなく、公知の種々のガイド機構を適用することができる。
【００５５】
また、髪束を髪束載置部材に固定する手段として、第１実施例で示した髪束押えは、例えばガイド部に回転支軸を有し、本体の中央に向かって回動可能に設けた回転羽根としてもよく、また、第２実施例で示した粘着部を有する帯状の可撓性シート材は、これを短冊型のものとし、この可撓性シート材を髪束の長さ方向に間隔をあけて複数枚貼着するようにしてもよい。
【００５６】
さらにまた、伸長された髪束載置部材をバネ力により縮めて復帰させる復帰装置には、内蔵するコイルバネにより繰り出したテープを巻き取るように構成された公知の巻尺（コンベックス）を適用することも可能である。
【図面の簡単な説明】
【００５７】
【図１】本発明の第１実施例に係る髪束折込み式のヘアカール器の斜視図である。
【図２】上記第１実施例に係るヘアカール器の分解斜視図である。
【図３】上記第１実施例に係るヘアカール器の要部の側面図である。
【図４】上記第１実施例に係るヘアカール器の伸長時における平面図である。
【図５】図４におけるＡ−Ａ断面図である。
【図６】本発明の第２実施例に係る髪束巻込み式のヘアカール器の斜視図である。
【図７】上記第２実施例に係るヘアカール器の平面図である。
【図８】図７におけるＢ−Ｂ断面図である。
【符号の説明】
【００５８】
１００                （第１実施例に係る髪束折込み式の）ヘアカール器
１１０                本体
１１１                長形平板
１１３                第１ガイド部
１１４                長形平板
１１６                第２ガイド部
１１７                把手
１２０                髪束載置部材
１２４                可撓性シート材
１２６                把手
１３０                係止部材
１４０                髪束押え
１５０                復帰装置
１５１                連結板
１５５                ピンオンリール
１６０                ネジ部材
２００                （第２実施例に係る髪束巻折込み式の）ヘアカール器
２１０                本体
２１１                長形平板
２１１ｇ              ラック
２１３                第１ガイド部
２１４                長形平板
２１４ｇ              ラック
２１６                第２ガイド部
２１７                把手
２２６                把手
２３０                係止部材
２４０                髪束押え
２５０                復帰装置
２５１                連結板
２５５                ピンオンリール
２６０                ネジ部材
２８０                髪束載置部材
２８１                軸受部材
２８２                繰出しローラ
２８３                髪束巻込みローラ
２８３ｇ              ピニオンギア
２８４                可撓性シート材
２８５                軸受部材
２８６                アーム
Ｈｂ                  髪束
【図１】
2008253400.tif 000003
【図２】
2008253400.tif 000004
【図３】
2008253400.tif 000005
【図４】
2008253400.tif 000006
【図５】
2008253400.tif 000007
【図６】
2008253400.tif 000008
【図７】
2008253400.tif 000009
【図８】
2008253400.tif 000010